(57)【要約】【課題】人体に接触した際の安全性が高く、かつ外形が破損しても正常に使用できるフライングディスクを提供する。【解決手段】フライングディスクは、可撓性を有する樹脂シートで形成され、内部空間１２を有する第１環状部１０と、可撓性を有する樹脂シートで形成され、内部空間１２に配置され、第１環状部１０に沿って延在し、気体を注入した状態で密閉可能な第２環状部２０と、可撓性を有する樹脂で形成され、内部空間１２を規定する第１環状部の内壁面と第２環状部２０との間に配置されたウェイト部３０とを備えている。【選択図】図３
2013063260.tif 000002
【特許請求の範囲】
【請求項１】
可撓性を有する樹脂シートで形成され、内部空間を有する第１環状部と、
可撓性を有する樹脂シートで形成され、前記内部空間に配置され、前記第１環状部に沿って延在し、気体を注入した状態で密閉可能な第２環状部と、
可撓性を有する樹脂で形成され、前記内部空間を規定する前記第１環状部の内壁面と前記第２環状部との間に配置されたウェイト部とを備えた、フライングディスク。
【請求項２】
可撓性を有する樹脂シートで形成され、内部空間を有する第１環状部と、
可撓性を有する樹脂で形成され、前記内部空間に配置され、前記第１環状部に沿って延在する第２環状部と、
可撓性を有する樹脂で形成され、前記内部空間を規定する前記第１環状部の内壁面と前記第２環状部との間に配置されたウェイト部とを備えた、フライングディスク。
【請求項３】
可撓性を有する樹脂シートで形成されたカバー部をさらに備え、
前記カバー部は、前記第１環状部の一方面側を覆うように設けられている、請求項１または２に記載のフライングディスク。
【請求項４】
前記第１環状部の前記径方向の断面形状は長円である、請求項１〜３のいずれかに記載のフライングディスク。
【請求項５】
前記第２環状部の前記径方向の断面形状は円形である、請求項１〜４のいずれかに記載のフライングディスク。
【請求項６】
前記ウェイト部が環状に配置されている、請求項１〜５のいずれかに記載のフライングディスク。
【請求項７】
前記ウェイト部は、前記第１環状部および前記第２環状部に固着されることなく前記内部空間に配置されている、請求項６に記載のフライングディスク。
【請求項８】
前記ウェイト部は中空形状を有している、請求項１〜７のいずれかに記載のフライングディスク。
【請求項９】
前記樹脂シートおよび前記樹脂の少なくともいずれかは、ポリウレタンを含む、請求項１〜８のいずれかに記載のフライングディスク。
【発明の詳細な説明】
【技術分野】
【０００１】
本発明はフライングディスクに関し、特に、空気等の気体を注入した状態で使用可能なフライングディスクに関するものである。
【背景技術】
【０００２】
従来、一般的には、フライングディスクは硬質のプラスチック材料で形成されている。一般的なフライングディスクは硬質のプラスチック材料で形成されているため、フライングディスクが人体に接触するとフライングディスクが接触した者は痛みを感じ、また怪我する場合がある。
【０００３】
そこで、人体に接触した際の安全性を高めるために、硬質のプラスチック材料で形成されるのではなく、内部空間に空気を注入可能なシート材で形成されたフライングディスクが提案されている。このような構成を有するフライングディスクとして、たとえば、実開平６−３４６６７号公報（特許文献１）には、二層のプラスチックシート材の間に空気が満たされ得る縁辺部を有する円盤状飛行遊戯具が提案されている。
【先行技術文献】
【特許文献】
【０００４】
【特許文献１】実開平６−３４６６７号公報
【発明の概要】
【発明が解決しようとする課題】
【０００５】
上記公報に記載された円板状飛行遊戯具では、プラスチックシート材が破損すると縁辺部から空気が漏れるため、フライングディスクは形状を保持することができない。そのため、円板状飛行遊戯具を正常に飛ばすことができない。
【０００６】
本発明は上記課題を鑑みてなされたものであり、その目的は、人体に接触した際の安全性が高く、かつ外形が破損しても正常に使用できるフライングディスクを提供することである。
【課題を解決するための手段】
【０００７】
本発明の一のフライングディスクは、可撓性を有する樹脂シートで形成され、内部空間を有する第１環状部と、可撓性を有する樹脂シートで形成され、内部空間に配置され、第１環状部に沿って延在し、気体を注入した状態で密閉可能な第２環状部と、可撓性を有する樹脂で形成され、内部空間を規定する第１環状部の内壁面と第２環状部との間に配置されたウェイト部とを備えている。
【０００８】
本発明の他のフライングディスクは、可撓性を有する樹脂シートで形成され、内部空間を有する第１環状部と、可撓性を有する樹脂で形成され、内部空間に配置され、第１環状部に沿って延在する第２環状部と、可撓性を有する樹脂で形成され、内部空間を規定する第１環状部の内壁面と第２環状部との間に配置されたウェイト部とを備えている。
【０００９】
本発明のフライングディスクでは、該フライングディスクの外形を規定する第１環状部が可撓性を有する樹脂シートで構成され、かつ第１環状部の内部空間に配置される第２環状部やウェイト部も、可撓性を有する樹脂シートあるいは樹脂で構成されるので、フライングディスクが人体に接触した際に、フライングディスクを容易に変形させることができる。このため、フライングディスクから人体への衝撃力を緩和することができ、フライングディスクが接触した者が痛みを感じたり、怪我をすることを効果的に抑制することができる。これにより、人体に接触した際のフライングディスクの安全性を高めることができる。
【００１０】
また、気体を注入した状態で密閉可能な第２環状部、または可撓性を有する樹脂で形成される第２環状部が第１環状部の内部空間に配置されるので、第１環状部によって第２環状部を保護することができる。そのため、第１環状部が破損したとしても、第２環状部内に気体を密封した状態を維持することができ、あるいは第２環状部を構成する樹脂の破損を抑制できるのでフライングディスクの形状を保持することができる。これにより、フライングディスクの外形を規定する第１環状部が破損してもフライングディスクを正常に使用することができる。
【００１１】
また、第１環状部の内部空間にウェイト部が配置されているため、フライングディスクの慣性力を大きくすることができる。これにより、フライングディスクの飛距離を長くすることができる。
【００１２】
上記のフライングディスクは、好ましくは、可撓性を有する樹脂シートで形成されたカバー部をさらに備えている。カバー部は、第１環状部の一方面側を覆うように設けられている。発明者等は、フライングディスクの両面側にカバー部が設けられている場合と比較して、フライングディスクの一方面側にカバー部が設けられている場合に飛行姿勢が安定することを見出した。本発明のフライングディスクでは、カバー部が第１環状部の一方面側を覆うように設けられているため、フライングディスクの飛行姿勢を安定させることができる。
【００１３】
上記のフライングディスクでは、好ましくは、第１環状部の径方向の断面形状は概ね長円である。そのため、進行方向Ｆに向かって、第１環状部の厚みを薄くすることができる。これにより、フライングディスクの空気抵抗を低減することができる。このことも、フライングディスクの飛距離を長くすることに寄与し得る。また、長円の外形に沿って、第１環状部の外周端に向かって第１環状部の厚みを薄くすることができる。これにより、進行方向と反対側に長円の外形に沿って空気を流すことによってフライングディスクの空気抵抗を低減することができる。
【００１４】
上記のフライングディスクでは、好ましくは、第２環状部の径方向の断面形状は概ね円形である。第２環状部の高さによって第１環状部の高さが保持される。また、第２環状部の径方向の断面形状が円形であるため、第２環状部が第１環状部の内部空間の径方向の中央に位置しやすい。これにより、第１環状部の形状を安定させることができる。
【００１５】
上記のフライングディスクでは、好ましくは、ウェイト部が環状に配置されている。そのため、ウェイト部による慣性力をフライングディスクの周方向に均等に作用させることができる。したがって、フライングディスクの慣性力が安定する。このことも、フライングディスクの飛距離を長くすることに寄与し得る。また、フライングディスクの飛行姿勢を安定させることもできる。
【００１６】
上記のフライングディスクでは、好ましくは、ウェイト部は、第１環状部および第２環状部に固着されることなく内部空間に配置されている。このため、ウェイト部を固着する作業が必要ない。これにより、生産性を向上することができる。
【００１７】
上記のフライングディスクでは、好ましくは、ウェイト部は中空形状を有している。このため、ウェイト部を変形しやすくすることができる。これにより、フライングディスクが人体に接触した際にウェイト部を変形させることができ、さらに接触時の衝撃力を緩和することができる。
【００１８】
上記のフライングディスクでは、好ましくは、樹脂シートおよび樹脂の少なくともいずれかは、ポリウレタンを含む。ポリウレタンは可撓性が高いため、フライングディスクが人体に接触した際にポリウレタンによって衝撃力を緩和することができる。
【発明の効果】
【００１９】
以上説明したように、本発明のフライングディスクによれば、人体に接触した際の安全性を高くすることができ、かつ外形が破損しても正常に使用することができる。
【図面の簡単な説明】
【００２０】
【図１】本発明の一実施の形態におけるフライングディスクの概略斜視図である。
【図２】本発明の一実施の形態におけるフライングディスクの概略側面図である。
【図３】本発明の一実施の形態におけるフライングディスクの概略底面図である。
【図４】図３のＩＶ−ＩＶ線に沿う概略断面図である。
【図５】本発明の一実施の形態におけるフライングディスクの変形例１の概略上面図である。
【図６】図５のＶＩ−ＶＩ線に沿う概略断面図である。
【図７】本発明の一実施の形態におけるフライングディクスの変形例２の概略断面図である。
【図８】本発明の一実施の形態におけるフライングディスクの変形例３の概略断面図である。
【図９】本発明の一実施の形態におけるフライングディスクの変形例４の概略断面図である。
【図１０】本発明例１を模式的に示す断面図である。
【図１１】本発明例２および比較例１を模式的に示す断面図である。
【図１２】比較例２〜比較例４を模式的に示す断面図である。
【図１３】本発明の一実施の形態におけるフライングディスクの変形例５の概略断面図である。
【図１４】本発明の一実施の形態におけるフライングディスクの変形例６の概略断面図である。
【発明を実施するための形態】
【００２１】
以下、本発明の実施の形態について図に基づいて説明する。
最初に本発明の一実施の形態のフライングディスクの構成について説明する。
【００２２】
図１および図２を参照して、本発明の一実施の形態のフライングディスクは、全体として円盤形状を有している。フライングディクスの中央には、第１環状部１０に囲まれた空間１が設けられている。使用者はこの空間１に指を挿入してフライングディスクを投げることができるため、フライングディスクの投げ易さを向上できる。また、この空間１に指を挿入してフライングディスクを捕ることができるため、フライングディスクの捕り易さを向上できる。フライングディスクの寸法としては、たとえば外径が２５０ｍｍ、内径が１２０ｍｍ、厚さが１５ｍｍ以上３５ｍｍ以下とされ得る。
【００２３】
フライングディスクは第１環状部１０の外周部で規定される縁部２を有している。なお、フライングディスクには空気等の気体を注入可能な弁３が設けられていてもよい。これにより、フライングディスクを使用する際に空気等の気体を注入し、使用しない際には空気等の気体を抜くことができる。このため、フライングディスクが収納しやすくなる。
【００２４】
続いて、図３および図４を参照して、フライングディスクの構成についてさらに詳しく説明する。フライングディスクは、第１環状部１０と、第２環状部２０と、ウェイト部３０とを主に有している。
【００２５】
第１環状部１０は、可撓性を有する樹脂シートで形成されている。第１環状部１０はフライングディスクを底面側から見て環状に形成されている。第１環状部１０は、可撓性を有する樹脂シートで囲まれた内部空間１２を有している。内部空間１２は第１環状部１０の内壁面によって規定されている。内部空間１２内に第２環状部２０およびウェイト部３０が配置されている。第１環状部１０は、第２環状部２０およびウェイト部３０を保護するように構成されている。第１環状部１０は、第２環状部２０およびウェイト部３０が直接人体などに接触しないように形成されている。第１環状部１０の径方向Ｄの断面形状は、長円に形成されている。つまり、第１環状部１０は扁平形状を有している。第１環状部１０は、第１環状部１０の外周端１３に向かって厚みが薄くなるように形成されている。
【００２６】
第２環状部２０は、可撓性を有する樹脂シートで形成されている。第２環状部２０は、内部空間１２に配置されている。第２環状部２０は、第１環状部１０の径方向Ｄの中央付近に配置されていてもよい。なお、第２環状部２０は、第１環状部１０の径方向Ｄの真ん中に配置されていなくてもよい。第２環状部２０は、第１環状部１０に沿って延在している。第２環状部２０は気体を注入した状態で密閉可能に構成されている。第２環状部２０は内部領域２１に空気等の気体を密閉した状態で保持可能に構成されている。第２環状部２０は、第１環状部１０の形状を保持することによってフライングディスクの形状を保持するように構成されている。第２環状部２０の高さによって第１環状部１０の高さが保持されている。第２環状部２０は、空気等の気体が注入された状態で密閉されているため弾性変形でき、フライングディスクが人体などに接触した際の人体などへの衝撃力を緩和することができる。第２環状部２０の内部には弁３から空気等の気体が注入されてもよい。第２環状部２０の径方向Ｄの断面形状は円形に形成されている。なお、円形は真円の形状に限定されない。
【００２７】
ウェイト部３０は、可撓性を有する樹脂で形成されている。ウェイト部３０は内部空間１２を規定する第１環状部１０の内壁面と第２環状部２０との間に配置されている。ウェイト部３０によってフライングディスクの慣性力が大きくなり得る。ウェイト部３０は、径方向Ｄにおいて第２環状部２０の外周側に配置されている。ウェイト部３０が第２環状部２０の外周側に配置されていることによって、フライングディスクが進行方向Ｆで人体に接触した際、ウェイト部によって衝撃力が緩和される。つまり、ウェイト部がバンパーとして機能する。このため、第２環状部２０が損傷することを抑制できる。なお、ウェイト部３０は、径方向Ｄにおいて第２環状部２０の内周側に配置されていてもよい。ウェイト部３０は環状に配置されている。
【００２８】
なお、ウェイト部３０は連続的に配置されていてもよく、断続的に配置されていてもよい。ウェイト部３０はフライングディスクの図心を維持するように配置されていることが好ましい。これにより、フライングディスクの飛行姿勢が安定され得る。ウェイト部３０は第１環状部１０および第２環状部２０に接着剤などによって固着されることなく内部空間１２に配置されている。ウェイト部３０は、飛行時に遠心力によって外周側に力を受けた状態で第１環状部１０の内側に接することで位置が定まるため、第１環状部１０および第２環状部２０に固着されていなくてもよい。なお、ウェイト部３０は第１環状部１０および第２環状部２０の少なくともいずれかに接着剤などによって固着されていてもよい。また、ウェイト部３０は中空形状を有している。つまり、ウェイト部３０は、中空領域３１を有している。ウェイト部３０は管状に形成されている。
【００２９】
第１環状部１０および第２環状部２０を構成する可撓性を有する樹脂シートは、ポリウレタンを含んでいてもよい。ウェイト部３０もポリウレタンを含んでいてもよい。つまり、樹脂シートおよび樹脂の少なくともいずれかは、ポリウレタンを含んでいてもよい。
【００３０】
図５および図６を参照して、フライングディスクはカバー部４０を有していてもよい。図５および図６に示すように本発明の一実施の形態におけるフライングディスクの変形例１では、カバー部４０は可撓性を有する樹脂シートで形成されている。カバー部４０は第１環状部の一方面１１側を覆うように設けられている。カバー部４０はフライングディスクの上面側に設けられている。カバー部４０は縁部２で第１環状部１０と接着されていてもよい。カバー部４０は円形に形成されている。カバー部４０は滑空面を主に構成している。カバー部４０は飛行時に飛行姿勢を安定させる機能を有している。カバー部４０を構成する可撓性を有する樹脂シートは、ポリウレタンを含んでいてもよい。
【００３１】
図７を参照して、ウェイト部３０は中実に形成されていてもよい。図７に示すように本発明の一実施の形態におけるフライングディクスの変形例２では、ウェイト部３０を中実に形成することによって、ウェイト部３０が管状に形成されている場合と比べてウェイト部３０の質量を大きくすることができる。
【００３２】
図８を参照して、第１環状部１０の径方向Ｄの断面形状は中央部が略直線で両端部が半円の形状（トラック形状）を有していてもよい。図８に示すように本発明の一実施の形態におけるフライングディクスの変形例３では、第１環状部１０の厚みを薄くすることによって、フライングディスクの空気抵抗を低減することができる。
【００３３】
図９を参照して、第１環状部１０の径方向Ｄの外周端１３は尖るように形成されていてもよい。図９に示すように本発明の一実施の形態におけるフライングディクスの変形例４では、第１環状部１０の径方向Ｄの外周端１３を尖るように形成することで、進行方向Ｆに対する外周端１３の角度を小さくすることができる。このため、第１環状部１０の外周端１３から第１環状部１０の外形に沿って空気を流れやすくすることができる。
【００３４】
図１３を参照して、第２環状部２０は中実に形成されていてもよい。図１３に示すように本発明の一実施の形態におけるフライングディスクの変形例５では、第２環状部２０は樹脂で形成されている。樹脂にはたとえばポリウレタンを用いることができる。また、第２環状部２０は中実に形成されていても良いし、フライングディスクが重くならないように軽量発泡樹脂を用いてもよい。第２環状部２０は、第２環状部２０の内部に密閉された空気等の気体の圧力により形状を維持していないため、第２環状部２０の外表面が破損しても空気等が漏れることで第２環状部２０の形状が崩れることはない。つまり、第２環状部２０はその形状を保持することができる。
【００３５】
図１４を参照して、第２環状部２０だけでなくウェイト部３０も中実に形成されていてもよい。図１４に示すように本発明の一実施の形態におけるフライングディクスの変形例６では、第２環状部２０およびウェイト部３０を中実に形成することによって、第２環状部２０の形状を保持し易くするとともにウェイト部３０の質量を大きくすることができる。
【００３６】
次に、本発明の一実施の形態のフライングディスクの作用効果について説明する。
本発明のフライングディスクでは、該フライングディスクの外形を規定する第１環状部１０が可撓性を有する樹脂シートで構成され、かつ第１環状部１０の内部空間１２に配置される第２環状部２０やウェイト部３０も、可撓性を有する樹脂シートあるいは樹脂で構成されるので、フライングディスクが人体に接触した際に、フライングディスクを容易に変形させることができる。このため、フライングディスクから人体への衝撃力を緩和することができ、フライングディスクが接触した者が痛みを感じたり、怪我をすることを効果的に抑制することができる。これにより、人体に接触した際のフライングディスクの安全性を高めることができる。
【００３７】
また、気体を注入した状態で密閉可能な第２環状部２０、または可撓性を有する樹脂で形成される第２環状部２０が第１環状部１０の内部空間１２に配置されるので、第１環状部１０によって第２環状部２０を保護することができる。そのため、第１環状部１０が破損したとしても、第２環状部２０内に気体を密封した状態を維持することができ、あるいは第２環状部２０を構成する樹脂の破損を抑制できるのでフライングディスクの形状を保持することができる。これにより、フライングディスクの外形を規定する第１環状部１０が破損してもフライングディスクを正常に使用することができる。
【００３８】
また、第１環状部１０の内部空間１２においてウェイト部３０が配置されているため、フライングディスクの慣性力を大きくすることができる。これにより、フライングディスクの飛距離を長くすることができる。
【００３９】
本発明の一実施の形態のフライングディスクによれば、可撓性を有する樹脂シートで形成されたカバー部４０は、第１環状部１０の一方面１１側を覆うように設けられている。発明者等は、フライングディスクの両面側にカバー部４０が設けられている場合と比較して、フライングディスクの一方面１１側にカバー部４０が設けられている場合に飛行姿勢が安定することを見出した。本発明の一実施の形態のフライングディスクでは、カバー部４０が第１環状部１０の一方面１１側を覆うように設けられているため、フライングディスクの飛行姿勢を安定させることができる。
【００４０】
本発明の一実施の形態のフライングディスクによれば、第１環状部１０の径方向Ｄの断面形状は概ね長円であるため、進行方向Ｆに向かって、第１環状部１０の厚みを薄くすることができる。これにより、フライングディスクの空気抵抗を低減することができる。このことも、フライングディスクの飛距離を長くすることに寄与し得る。また、長円の外形に沿って、第１環状部１０の外周端１３に向かって第１環状部１０の厚みを薄くすることができる。これにより、進行方向Ｆと反対側に長円の外形に沿って空気を流すことによってフライングディスクの空気抵抗を低減することができる。
【００４１】
本発明の一実施の形態のフライングディスクによれば、第２環状部２０の径方向Ｄの断面形状は概ね円形である。第２環状部２０の高さによって第１環状部１０の高さが保持される。また、第２環状部２０の径方向Ｄの断面形状が円形であるため、第２環状部２０が第１環状部１０の内部空間１２の径方向Ｄの中央に位置しやすい。これにより、第１環状部１０の形状を安定させることができる。
【００４２】
本発明の一実施の形態のフライングディスクによれば、ウェイト部３０が環状に配置されているため、ウェイト部３０による慣性力をフライングディスクの周方向に均等に作用させることができる。したがって、フライングディスクの慣性力が安定する。このことも、フライングディスクの飛距離を長くすることに寄与し得る。また、フライングディスクの飛行姿勢を安定させることもできる。
【００４３】
本発明の一実施の形態のフライングディスクによれば、ウェイト部３０が第１環状部１０および第２環状部２０に固着されることなく内部空間１２に配置されている。このため、ウェイト部３０を固着する作業が必要ない。これにより、生産性を向上することができる。
【００４４】
本発明の一実施の形態のフライングディスクによれば、ウェイト部３０は中空形状を有しているため、ウェイト部３０を変形しやすくすることができる。これにより、フライングディスクが人体に接触した際にウェイト部３０を変形させることができ、さらに接触時の衝撃力を緩和することができる。
【００４５】
本発明の一実施の形態のフライングディスクによれば、樹脂シートおよび樹脂の少なくともいずれかは、ポリウレタンを含む。ポリウレタンは可撓性が高いため、フライングディスクが人体に接触した際にポリウレタンによって衝撃力を緩和することができる。
【実施例】
【００４６】
以下、本発明の実施例について説明する。
本発明の実施例および比較例のフライングディスクを作成した。そして、本発明の実施例および比較例のフライングディスクを試験者が投げて、飛距離および飛行姿勢を測定した。
【００４７】
本発明の実施例として、本発明例１および本発明例２を作成した。試験者は、本発明例１および本発明例２をそれぞれ５回ずつ投げた。以下の本発明例１および本発明例２の飛距離は５回投げた計測値の平均値である。
【００４８】
本発明例１として、図１〜図４に示す形状を有するフライングディスクを作成した。本発明例１では、第１環状部と、第２環状部と、ウェイト部とをポリウレタンで作成した。本発明例１では、外径は２４５ｍｍであり、高さは２５ｍｍであり、重さは５８ｇであった。本発明例１の飛距離は、２９．５ｍであった。本発明例１の飛行姿勢は安定した。本発明例１の飛行姿勢はフライングディスクが横になる状態を保った。
【００４９】
本発明例２として、図５および図６に示す形状を有するフライングディスクを作成した。本発明例２では、第１環状部と、第２環状部と、ウェイト部と、カバー部とをポリウレタンで作成した。本発明例２では、外径は２４５ｍｍであり、高さは２５ｍｍであり、重さは７０ｇであった。本発明例２の飛距離は、３１．９ｍであった。本発明例２の飛行姿勢は最も安定した。本発明例２の飛行姿勢はフライングディスクが横になる状態を保った。
【００５０】
比較例１として、第２環状部およびウェイト部を有さず、カバー部を有し、第１環状部の径方向の断面形状が丸型（円型）のフライングディスクを作成した。比較例１では、第１環状部と、カバー部とをポリウレタンで作成した。比較例１では、外径は２３０ｍｍであり、高さは４０ｍｍであり、重さは３０．５ｇであった。比較例１の飛距離は、２回計測した結果、１３．５ｍと１６．５ｍとであった。比較例１の飛行姿勢は安定した。比較例１の飛行姿勢はフライングディスクが横になる状態を保った。
【００５１】
比較例２として、第２環状部およびウェイト部を有さず、第１環状部の径方向の断面形状が丸型であり、カバー部が一方面側および他方面側に設けられたフライングディスクを作成した。比較例２では、カバー部と第１環状部とをポリウレタンで作成した。比較例２では、外径は２３０ｍｍであり、高さは４０ｍｍであり、重さは４８．５ｇであった。比較例２の飛距離は、２回計測した結果、１３．０ｍと２０．０ｍとであった。比較例２の飛行姿勢は不安定であった。比較例２の飛行姿勢はフライングディスクが縦になり易かった。
【００５２】
比較例３として、第２環状部およびウェイト部を有さず、第１環状部の径方向の断面形状が丸型であり、一方面側および他方面側に設けられたカバー部の中央部が溶着されたフライングディスクを作成した。比較例３では、カバー部と第１環状部とをポリウレタンで作成した。比較例３では、外径は２３０ｍｍであり、高さは４０ｍｍであり、重さは４０．５ｇであった。比較例３の飛距離は、２回計測した結果、１３．５ｍと１６．６ｍとであった。比較例３の飛行姿勢は不安定であった。比較例３の飛行姿勢はフライングディスクが縦になり易かった。
【００５３】
比較例４として、第１環状部、第２環状部およびウェイト部を有し、カバー部が一方面側および他方面側に設けられたフライングディスクを作成した。比較例４では、第１環状部と、第２環状部と、ウェイト部と、カバー部とをポリウレタンで作成した。比較例４では、外径は２４５ｍｍであり、高さは２５ｍｍであり、重さは８２ｇであった。試験者が比較例４を５回投げた。飛距離の計測値の平均値は、２８．８ｍであった。比較例４は飛行姿勢が不安定であった。比較例４は飛行姿勢が縦になり易かった。
【００５４】
本発明例１および本発明例２と比較例１〜比較例３とを比較して、本発明例１および本発明例２の飛距離は比較例１〜比較例３の飛距離より大幅に長くなった。この理由は本発明例１および本発明例２ではウェイト部によって慣性力が大きくなったため飛距離が長くなったからと考えられる。別の理由は本発明例１および本発明例２では第１環状部の径方向の断面形状が長円であるためフライングディスクの空気抵抗を低減することができたからと考えられる。また、本発明例１および本発明例２の飛距離は比較例４の飛距離より長くなった。この理由は本発明例１および本発明例２では飛行姿勢が安定したため空気抵抗を低減することができたからと考えられる。
【００５５】
また、本発明例１、本発明例２および比較例１の飛行姿勢は安定し、フライングディスクが横になる状態を保った。本発明例２の飛行姿勢は最も安定した。一方、比較例２〜比較例４の飛行姿勢は不安定であり、フライングディスクは縦になりやすかった。この理由は、図１０〜図１２を参照して、次のように考えられる。図１０〜図１２は、実施例および比較例のフライングディスクを模式的に示す断面図である。
【００５６】
図１０を参照して、本発明例１は第１環状部で風を受けるため、第１環状部に図中矢印で示すように上方向に風圧の作用点Ｌ１と風圧の作用点Ｌ２とが作用する。フライングディスクの重心（重力の作用点）ｇと風圧の作用点Ｌ１とはフライングディスクを右回転させるが、重心ｇと風圧の作用点Ｌ２とはフライングディスクを左回転させる。したがって、風圧の作用点Ｌ１と風圧の作用点Ｌ２とが相殺するためフライングディスクの姿勢は大きく乱れない。
【００５７】
図１１を参照して、本発明例２および比較例１は第１環状部およびカバー部で風を受けるため、第１環状部に図中矢印で示すように上方向に風圧の作用点Ｌ１と風圧の作用点Ｌ２とが作用するとともにカバー部に図中矢印で示すように上方向に風圧の作用点Ｌ３が作用する。さらに、カバー部には揚力Ｌｉも生じる。風圧の作用点Ｌ３の影響は大きいためフライングディスクは傾こうとする。しかし、揚力Ｌｉと重心ｇとによって復元力が生じる。このため、飛行姿勢が安定する。なお、揚力Ｌｉによって飛距離も伸びると考えられる。
【００５８】
図１２を参照して、比較例２〜比較例４はカバー部全体で風を受けるため、カバー部に図中矢印で示すように上方向に風圧の作用点Ｌ４が作用する。しかし、風圧は均一ではないため、フライングディスクの重心と風圧中心とはずれる。重心ｇと風圧の作用点Ｌ４とはフライングディスクを回転させようとする。上面側と下面側のカバー部の長さが略等しいため、カバー部に生じる揚力は非常に小さくなる。このため、復元力が働かず、フライングディスクは直立する。
【００５９】
以上より、ウェイト部を設けることによってフライングディスクの飛距離が長くなることがわかった。第１環状部の径方向の断面形状を長円にすることでフライングディスクの飛距離が長くなることがわかった。
【００６０】
カバー部が一方面側のみに設けられていることによってフライングディスクの飛行姿勢が安定することを見出した。これより、フライングディスクの径方向の断面視において中心線に対して非対称にフライングディスクが構成されているこによって、飛行姿勢が安定することを見出した。
【００６１】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【産業上の利用可能性】
【００６２】
本発明は、空気等の気体を注入した状態で使用可能なフライングディスクに特に有利に適用され得る。
【符号の説明】
【００６３】
１  空間、２  縁部、３  弁、１０  第１環状部、１１  一方面、１２  内部空間、１３  外周端、２０  第２環状部、２１  内部領域、３０  ウェイト部、３１  中空領域、４０  カバー部。
【図１】
2013063260.tif 000003
【図２】
2013063260.tif 000004
【図３】
2013063260.tif 000005
【図４】
2013063260.tif 000006
【図５】
2013063260.tif 000007
【図６】
2013063260.tif 000008
【図７】
2013063260.tif 000009
【図８】
2013063260.tif 000010
【図９】
2013063260.tif 000011
【図１０】
2013063260.tif 000012
【図１１】
2013063260.tif 000013
【図１２】
2013063260.tif 000014
【図１３】
2013063260.tif 000015
【図１４】
2013063260.tif 000016